(57)【要約】【課題】デジタル放送受信機が放送番組を録画するときに、ユーザに対して妨害することなく、外部端末を利用可能にすること。【解決手段】デジタル放送受信機（５）は、記憶部（１３）と、放送番組視聴指示に応じて、放送番組を含む放送信号を受信し、放送番組録画指示に応じて、放送信号を受信して放送番組を記憶部（１３）に格納する放送波受信部（１２）と、外部端末（６）に対する端末連携を実行可能な端末連携制御部（３３）と、指示が放送番組視聴指示である場合、外部端末（６）に対する端末連携を実行するように端末連携制御部（３３）を制御し、指示が放送番組録画指示である場合、外部端末（６）に対する端末連携を実行しないように端末連携制御部（３３）を制御する受信機用制御部（３２）と、を具備する。【選択図】図１
2015100087.tif 000002
【特許請求の範囲】
【請求項１】
放送番組視聴指示に応じて、放送番組を含む放送信号を受信し、放送番組録画指示に応じて、前記放送信号を受信して前記放送番組を録画する放送波受信部と、
外部端末に対する端末連携を実行可能な端末連携制御部と、
指示が前記放送番組視聴指示である場合、前記外部端末に対する端末連携を実行するように前記端末連携制御部を制御し、前記指示が前記放送番組録画指示である場合、前記外部端末に対する端末連携を実行しないように前記端末連携制御部を制御する受信機用制御部と、
を具備することを特徴とするデジタル放送受信機。
【請求項２】
前記受信機用制御部は、前記放送番組が視聴されているときに、前記指示が前記放送番組視聴指示から前記放送番組録画指示に切り替わった場合、前記外部端末に対する端末連携を実行しないように前記端末連携制御部を制御する、
ことを特徴とする請求項１に記載のデジタル放送受信機。
【請求項３】
前記受信機用制御部は、前記放送番組が録画されているときに、前記指示が前記放送番組録画指示から前記放送番組視聴指示に切り替わった場合、前記外部端末に対する端末連携を実行するように前記端末連携制御部を制御する、
ことを特徴とする請求項１又は２に記載のデジタル放送受信機。
【請求項４】
前記放送信号は、放送マネージドアプリケーションを管理するためのアプリケーション制御情報を更に含み、
前記受信機用制御部は、
前記アプリケーション制御情報の記述内容が端末連携を要求していて、かつ、前記指示が前記放送番組視聴指示である場合、前記外部端末に対する端末連携を実行するように前記端末連携制御部を制御し、
前記アプリケーション制御情報の記述内容が端末連携を要求しているが、前記指示が前記放送番組録画指示である場合、前記外部端末に対する端末連携を実行しないように前記端末連携制御部を制御する、
ことを特徴とする請求項１から３のいずれかに記載のデジタル放送受信機。
【請求項５】
請求項１から請求項４のいずれかに記載のデジタル放送受信機と、
前記デジタル放送受信機に対する端末連携を実行可能な外部端末と、
を具備することを特徴とする放送通信連携システム。
【発明の詳細な説明】
【技術分野】
【０００１】
本発明は、放送通信連携サービスをユーザに提供するデジタル放送受信機、及び、放送通信連携システムに関する。
【背景技術】
【０００２】
ＩＰ（Internet Protocol）を利用してデジタルテレビ放送を配信する技術（その技術をＩＰＴＶという）が開発されている。そのＩＰＴＶの規定として、放送通信連携システム（ハイブリッドキャスト方式）が策定されている（例えば非特許文献１）。この放送通信連携システムでは、デジタル放送受信機は、放送信号を放送波により受信して、放送信号に含まれる放送コンテンツ（放送番組）を出力すると共に、ネットワーク経由で通信コンテンツを取得して、放送コンテンツと通信コンテンツとを同期再生する。これにより、放送と通信とを連携することが可能である。
【０００３】
具体的には、放送通信連携システムでは、ユーザが放送コンテンツの番組をデジタル放送受信機により視聴しているときに、デジタル放送受信機と外部端末（タブレット端末など）とをホームネットワーク内で端末連携（ペアリング）させる。デジタル放送受信機は、その放送コンテンツが例えばコマーシャル（commercial、以下、ＣＭと称する）になったタイミングで、放送信号によりＣＭコンテンツ提示用アプリケーションを取得して起動すると共に、外部端末では、そのＣＭコンテンツ提示用アプリケーションを端末連携により起動する。これにより、ユーザは、ＣＭコンテンツ提示用アプリケーションが提供するＣＭコンテンツを外部端末により視聴可能である。ＣＭが終了した場合、デジタル放送受信機は、放送信号によりＣＭコンテンツ提示用アプリケーションを終了すると共に、外部端末は、そのＣＭコンテンツ提示用アプリケーションを端末連携により終了する。これにより、ユーザは、放送コンテンツの番組をデジタル放送受信機により視聴可能である。すなわち、ユーザはＣＭ視聴から番組視聴に移行する。このように、放送信号により起動及び終了が制御できるアプリケーションを放送マネージドアプリケーションという。
【先行技術文献】
【非特許文献】
【０００４】
【非特許文献１】ＩＰＴＶ規定  放送通信連携システム仕様  ＩＰＴＶＦＪ  ＳＴＤ−００１０  １．０版（２０１３年３月２２日１．０版策定）
【発明の概要】
【発明が解決しようとする課題】
【０００５】
デジタル放送受信機は、上述のように、ユーザが放送番組を視聴可能にする機能を有している。ユーザは、放送番組を視聴したいときに、デジタル放送受信機と、デジタル放送受信機と端末連携を行なう外部端末とを利用することにより、放送コンテンツ（放送番組）と通信コンテンツ（放送マネージドアプリケーション）とを同期再生することができる。
【０００６】
デジタル放送受信機は、更に、放送番組を録画する機能を有している場合もある。ユーザは、放送番組を録画したいときは、デジタル放送受信機に対して録画予約を行なうことにより、デジタル放送受信機が放送番組の録画を行なう。しかし、デジタル放送受信機が放送番組を録画している間、ユーザは、放送番組を視聴しないで、外部端末を別目的で利用している場合が考えられる。デジタル放送受信機が放送番組を録画している場合、外部端末に放送マネージドアプリケーションが提示されることは、外部端末を別目的で利用しているユーザに対して妨害となり、好ましくない。
【０００７】
本発明は、上記の点に鑑みてなされたものであり、デジタル放送受信機が放送番組を録画するときに、ユーザに対して妨害することなく、外部端末を利用可能にすることができるデジタル放送受信機、及び、放送通信連携システムを提供することを目的とする。
【課題を解決するための手段】
【０００８】
本発明のデジタル放送受信機は、放送番組視聴指示に応じて、放送番組を含む放送信号を受信し、放送番組録画指示に応じて、前記放送信号を受信して前記放送番組を録画する放送波受信部と、外部端末に対する端末連携を実行可能な端末連携制御部と、指示が前記放送番組視聴指示である場合、前記外部端末に対する端末連携を実行するように前記端末連携制御部を制御し、前記指示が前記放送番組録画指示である場合、前記外部端末に対する端末連携を実行しないように前記端末連携制御部を制御する受信機用制御部と、を具備することを特徴とする。
【０００９】
本発明の放送通信連携システムは、上述のデジタル放送受信機と、前記デジタル放送受信機に対する端末連携を実行可能な外部端末と、を具備することを特徴とする。
【００１０】
本発明のコンピュータプログラムは、放送番組視聴指示に応じて、放送番組を含む放送信号を受信し、放送番組録画指示に応じて、前記放送信号を受信して前記放送番組を録画するステップと、指示が前記放送番組視聴指示である場合、外部端末に対する端末連携を実行するステップと、前記指示が前記放送番組録画指示である場合、前記外部端末に対する端末連携を実行しないステップと、の各ステップをコンピュータに実行させる。
【発明の効果】
【００１１】
本発明によれば、デジタル放送受信機は、放送番組が視聴される場合、外部端末に対する端末連携を実行し、放送番組が録画される場合、外部端末に対する端末連携を実行しないため、デジタル放送受信機が放送番組を録画するときに、ユーザに対して妨害することなく、外部端末を利用することができる。
【図面の簡単な説明】
【００１２】
【図１】本発明の放送通信連携システムの構成を示す概略ブロック図である。
【図２】ユーザがデジタル放送受信機３と外部端末４とを利用して放送番組を視聴している場合を説明するための図である。
【図３】デジタル放送受信機３が放送番組を録画しているときに、ユーザが外部端末４を別目的で利用している場合の問題点を説明するための図である。
【図４】図３の問題点の解決策を説明するための図である。
【図５】本発明の第１実施形態に係る放送通信連携システムにおけるデジタル放送受信機３の動作を示すフローチャートである。
【図６】本発明の第２実施形態に係る放送通信連携システムにおけるデジタル放送受信機３の動作を示すフローチャートである。
【図７】本発明の第２実施形態に係る放送通信連携システムにおけるデジタル放送受信機３の動作を示すフローチャートである。
【図８】本発明の第３実施形態に係る放送通信連携システムにおけるデジタル放送受信機３の動作を示すフローチャートである。
【図９】本発明の第３実施形態に係る放送通信連携システムにおけるデジタル放送受信機３の動作を示すフローチャートである。
【発明を実施するための形態】
【００１３】
以下、図面を参照しながら本発明の実施形態について説明する。
【００１４】
図１は、本発明の放送通信連携システムの構成を示す概略ブロック図である。放送通信連携システムは、放送局が放送波により放送サービスを提供するための放送局サーバ１と、サービス事業者がインターネット等の通信ネットワークを介して通信サービスを提供するための通信サーバ２と、利用者に利用されるデジタル放送受信機３及び外部端末４と、を具備している。
【００１５】
外部端末４としてはタブレット端末が例示され、外部端末４はホームネットワーク内でデジタル放送受信機３と接続され、そのデジタル放送受信機３と端末連携（ペアリング）可能である。ホームネットワークによる短距離無線通信技術としては無線ＬＡＮ（Local Area Network）やブルートゥース（Bluetooth（登録商標））などが例示される。
【００１６】
放送局サーバ１は、一般的なデジタル放送用の放送設備（図示しない）を備えたコンピュータである。放送局サーバ１は、コンピュータが実行可能なコンピュータプログラムが格納された記憶装置（図示しない）と、そのコンピュータプログラムを読み出して実行するＣＰＵ（Central Processing Unit）（図示しない）と、を具備している。放送局サーバ１は、放送番組、データ放送、アプリケーション制御情報（Application Information Table：ＡＩＴ）等を多重化した放送信号を生成する。放送局サーバ１は、その放送信号を放送波に変調し、放送用アンテナを介して放送波を送信する。
【００１７】
放送信号は、ＡＲＩＢ（登録商標）（Association of Radio Industries and Broadcast：社団法人電波産業会）標準規格で規定される。デジタル放送によって提供される映像、音声等の各種データは、国際標準規格MPEG-2 Systemsで規定されるＴＳパケット（トランスポートストリームパケット）に格納されて、時分割で多重伝送される。ＴＳパケットには、セクションに対してＰＳＩ（Program Specific Information）／ＳＩ（Service Information）が規定されている。ＰＳＩ／ＳＩは、ＴＳパケットに格納されているデータの種別を示す情報や、コンテンツの種別を示す情報を含んでいる。データの種別を示す情報は、データ放送用のデータとＡＩＴとを伝送するための伝送情報（Program Map Table：ＰＭＴ）を含んでいる。
【００１８】
データ放送は、放送番組と連携するコンテンツである。データ放送向けの記述言語としては、ＢＭＬ（Broadcast Markup Language）文書が使用され、ＢＭＬはＡＲＩＢ（登録商標）により策定されている。ＰＭＴは、データ放送を伝送するコンポーネントに関わるデータ符号化方式記述子のadditional_arib_bxml_info()において、データ放送の起動を最優先とするか否かを指定するための起動優先制御情報を含んでいる。その起動優先制御情報が最優先を示している場合は、データ放送はデジタル放送受信機３により起動される。
【００１９】
ＡＩＴは、放送マネージドアプリケーションを管理するための情報である。放送マネージドアプリケーションは、放送番組と連携する他のコンテンツであり、データ放送とは記述言語等のデータ形式が異なる。放送マネージドアプリケーション向けの記述言語としては、ＨＴＭＬ（Hyper Text Markup Language）文書が使用される。また、ＡＩＴは、放送マネージドアプリケーションを識別するアプリケーションＩＤと、放送マネージドアプリケーションの所在を示す所在情報（Uniform Resource Locator：ＵＲＬ）と、を含んでいる。ＰＭＴは、ＡＩＴを伝送するコンポーネントに関わるデータ符号化方式記述子のait_identifier_info()において、放送マネージドアプリケーションの起動を最優先とするか否かを指定するための起動優先制御情報を含んでいる。その起動優先制御情報が最優先を示している場合は、放送マネージドアプリケーションはデジタル放送受信機３により起動される。
【００２０】
通信サーバ２は、放送局サーバ１の設備と通信可能に接続され、放送マネージドアプリケーションを配信するコンピュータである。通信サーバ２は、コンピュータが実行可能なコンピュータプログラムが格納された記憶装置（図示しない）と、そのコンピュータプログラムを読み出して実行するＣＰＵ（図示しない）と、を具備している。通信サーバ２は、アプリケーション取得要求に応じて、放送マネージドアプリケーションを、通信ネットワークを介して配信する。
【００２１】
デジタル放送受信機３は、チューナ部１１と、放送波受信部１２と、記憶部１３と、受信機用出力部２０と、通信部３１と、受信機用制御部３２と、端末連携制御部３３と、これらを制御するＣＰＵ（図示しない）と、を具備している。通信部３１は、通信ネットワークを介して通信サーバ２と通信を行う通信インタフェースである。端末連携制御部３３は、ホームネットワーク内で通信可能な機器（外部端末４）を発見し、外部端末４に対して端末連携を実行する。ＣＰＵは、チューナ部１１、放送波受信部１２、記憶部１３、受信機用出力部２０、通信部３１、受信機用制御部３２、端末連携制御部３３に対して制御を行う。記憶部１３にはコンピュータが実行可能なコンピュータプログラムが格納され、ＣＰＵはそのコンピュータプログラムを読み出して実行する。
【００２２】
放送波受信部１２は、放送番組が視聴される放送番組視聴指示に応じて、放送番組を提示する放送番組提示機能（図示しない）を備えている。放送波受信部１２の放送番組提示機能は、チューナ部１１を介して放送局サーバ１から放送されている放送波を受信する。放送波受信部１２は、その放送波を復調し、放送波から放送信号、すなわち、ＴＳパケットを抽出する。放送波受信部１２の放送番組提示機能は、ＴＳパケットのＰＳＩ／ＳＩを参照して、ＴＳパケットに含まれている放送番組（映像データ及び音声データ）を受信機用出力部２０に出力する。また、放送波受信部１２の放送番組提示機能は、予め規定されている伝送方法に応じて、ＴＳパケットからＰＭＴやＡＩＴを抽出して記憶部１３に格納する。
【００２３】
また、放送波受信部１２は、放送番組が録画される放送番組録画指示に応じて、放送番組を録画する録画処理を実行する放送番組録画機能（図示しない）を備えている。録画処理において、放送波受信部１２の放送番組録画機能は、放送波を受信して復調し、放送波から抽出されたＴＳパケットに含まれている放送番組（映像データ及び音声データ）を録画番組として記憶部１３に格納（録画）する。
【００２４】
受信機用出力部２０は、音声制御部２１と、表示制御部２２と、スピーカ２３と、表示部２４と、を備えている。音声制御部２１は、放送波受信部１２からの音声データを、表示制御部２２により表示制御される映像データと同期をとりながらスピーカ２３に出力する。表示制御部２２は、放送波受信部１２からの映像データを、音声制御部２１により出力制御される音声データと同期をとりながら表示部２４に表示する。
【００２５】
受信機用制御部３２は、放送マネージドアプリケーションを取得して提示するための機能としてアプリケーションエンジン３４を備えている。取得された放送マネージドアプリケーションは、そのアプリケーションエンジン３４上で起動・終了する。アプリケーションエンジン３４は、記憶部１３に格納されたＡＩＴに基づいて、アプリケーション取得要求（デジタル放送受信機３を識別する識別子と、上述のＡＩＴのアプリケーションＩＤ、ＵＲＬと、を少なくとも含む）を、通信部３１を介して通信サーバ２に送信し、通信サーバ２から放送マネージドアプリケーションを取得する。アプリケーションエンジン３４は、その放送マネージドアプリケーションを起動させて受信機用出力部２０に提示する。
【００２６】
受信機用制御部３２は、更に、データ放送を提示するためのデータ放送提示機能（図示しない）を備えている。受信機用制御部３２のデータ放送提示機能は、記憶部１３に格納されたＰＭＴに基づいて、データ放送を起動させて受信機用出力部２０に提示する。
【００２７】
受信機用制御部３２は、更に、記憶部１３に格納（録画）された録画番組（映像データ及び音声データ）を再生して提示するための録画番組再生機能（図示しない）を備えている。受信機用制御部３２の録画番組再生機能は、録画番組再生指示に応じて、記憶部１３から録画番組を読み出して受信機用出力部２０に提示する。
【００２８】
受信機用制御部３２は、更に、連携判断部３５と、状態管理部３６とを備えている。状態管理部３６には、放送番組視聴指示に応じて視聴フラグが設定され、放送番組録画指示に応じて録画フラグが設定される。
【００２９】
上述のＡＩＴは、更に、端末連携を要求するか否かを表す記述を含んでいる（非特許文献１の「１１．７．  端末連携制御」を参照）。
【００３０】
例えば、状態管理部３６に視聴フラグが設定されている場合、連携判断部３５は、アプリケーション提示処理を実行するように、アプリケーションエンジン３４を制御する。アプリケーション提示処理において、アプリケーションエンジン３４は、記憶部１３に格納されたＡＩＴに基づいて、放送マネージドアプリケーションを通信ネットワークにより取得し、その放送マネージドアプリケーションを起動させて受信機用出力部２０に提示する。
【００３１】
また、記憶部１３に格納されたＡＩＴの記述内容が端末連携を要求していて、かつ、状態管理部３６に視聴フラグが設定されている場合、連携判断部３５は、外部端末４に対する端末連携を実行するように、アプリケーションエンジン３４を経由して端末連携制御部３３を制御する。この場合、アプリケーションエンジン３４は、端末連携により、記憶部１３に格納されたＡＩＴを外部端末４に通知する。
【００３２】
一方、記憶部１３に格納されたＡＩＴの記述内容が端末連携を要求しているが、状態管理部３６に録画フラグが設定されている場合、連携判断部３５は、外部端末４に対する端末連携を実行しないように、アプリケーションエンジン３４を経由して端末連携制御部３３を制御する。
【００３３】
外部端末４は、通信部４１と、端末用制御部４２と、端末連携制御部４３と、端末用出力部５０と、これらを制御するＣＰＵ（図示しない）と、記憶部（図示しない）とを具備している。通信部４１は、通信ネットワークを介して通信サーバ２と通信を行う通信インタフェースである。端末連携制御部４３は、デジタル放送受信機３の端末連携制御部３３に対して端末連携を実行する。記憶部にはコンピュータが実行可能なコンピュータプログラムが格納され、ＣＰＵはそのコンピュータプログラムを読み出して実行する。
【００３４】
端末用出力部５０は、音声制御部５１と、表示制御部５２と、スピーカ５３と、表示部５４と、を備えている。音声制御部５１は、音声データを、表示制御部５２により表示制御される映像データと同期をとりながらスピーカ５３に出力する。表示制御部５２は、映像データを、音声制御部５１により出力制御される音声データと同期をとりながら表示部５４に表示する。端末用制御部４２は、ユーザにより選択された位置に応じて、外部端末４の各構成要素を制御する。
【００３５】
端末用制御部４２は、放送マネージドアプリケーションを取得するアプリケーションエンジン４４を備えている。取得された放送マネージドアプリケーションは、そのアプリケーションエンジン４４上で起動・終了する。アプリケーションエンジン４４は、デジタル放送受信機３から端末連携により通知されるＡＩＴに基づいて、アプリケーション取得要求（デジタル放送受信機３を識別する識別子と、上述のＡＩＴのアプリケーションＩＤ、ＵＲＬと、を少なくとも含む）を、通信部３１を介して通信サーバ２に送信し、通信サーバ２から放送マネージドアプリケーションを取得する。アプリケーションエンジン４４は、その放送マネージドアプリケーションを起動させて端末用出力部５０に提示する。
【００３６】
上述のように、デジタル放送受信機３は、ユーザが放送番組を視聴可能にする機能（例えば、上述の放送番組提示機能）と、放送番組を録画する機能（例えば、上述の放送番組録画機能、録画番組再生機能）とを有している。
【００３７】
図２に示されるように、ユーザは、放送番組を視聴したいときに、デジタル放送受信機３と、デジタル放送受信機３に対して端末連携を行なう外部端末４とを利用することにより、放送コンテンツ（放送番組）と通信コンテンツ（放送マネージドアプリケーション）とを同期再生することができる。
【００３８】
ユーザは、放送番組を録画したいときは、デジタル放送受信機３に対して録画予約を行なうことにより、デジタル放送受信機３が放送番組の録画を行なう。しかし、図３に示されるように、デジタル放送受信機３が放送番組を録画している間、ユーザは、放送番組を視聴しないで、外部端末４を別目的で利用している場合が考えられる。デジタル放送受信機３が放送番組を録画している場合、外部端末４に放送マネージドアプリケーションが提示されることは、外部端末４を別目的で利用しているユーザにとっては妨害となり、好ましくない。この場合、図４に示されるように、デジタル放送受信機３が放送番組を録画している間は、外部端末４に対して端末連携を行なわないことが好ましい。
【００３９】
［第１実施形態］
図５は、本発明の第１実施形態に係る放送通信連携システムにおけるデジタル放送受信機３の動作を示すフローチャートである。デジタル放送受信機３の動作としては、（Ａ）放送番組が視聴される場合と、（Ｂ）放送番組が録画される場合とに分けられる。
【００４０】
まず、（Ａ）放送番組が視聴される場合について説明する。
【００４１】
連携判断部３５は、放送番組視聴指示に応じて、視聴フラグを状態管理部３６に設定する（ステップＳ１−Ｎｏ、Ｓ２）。放送波受信部１２は、放送番組視聴指示に応じて、放送信号を受信する（ステップＳ５）。放送波受信部１２は、放送信号に含まれている放送番組を受信機用出力部２０に出力すると共に、放送信号から最新のＰＭＴやＡＩＴを抽出して記憶部１３に格納する（ステップＳ６）。
【００４２】
次に、連携判断部３５は、最新のＡＩＴの記述内容に従った処理を実行する（ステップＳ７）。次に、記憶部１３に格納された最新のＡＩＴの記述内容が端末連携を要求していない場合（ステップＳ８−Ｎｏ）、即ち、対象の放送番組が外部端末４と連携しない放送番組である場合、現在の処理が継続され（ステップＳ９）、ステップＳ５以降が実行される。
【００４３】
ステップＳ５〜Ｓ７が再度実行される。ステップＳ７における最新のＡＩＴの記述内容に従った処理として、連携判断部３５は、例えばアプリケーション提示処理を実行するように、アプリケーションエンジン３４を制御する。アプリケーション提示処理において、アプリケーションエンジン３４は、記憶部１３に格納されたＡＩＴに基づいて、放送マネージドアプリケーションを通信ネットワークにより取得し、その放送マネージドアプリケーションを起動させて受信機用出力部２０に提示する。
【００４４】
ここで、記憶部１３に格納された最新のＡＩＴの記述内容が端末連携を要求していて（対象の放送番組が外部端末４と連携する放送番組である場合）、かつ、状態管理部３６に視聴フラグが設定されている場合（ステップＳ８−Ｙｅｓ、Ｓ１０−Ｎｏ）、連携判断部３５は、外部端末４に対する端末連携を実行するように、アプリケーションエンジン３４を経由して端末連携制御部３３を制御する（ステップＳ１１）。この場合、アプリケーションエンジン３４は、端末連携により、記憶部１３に格納されたＡＩＴを外部端末４に通知する。
【００４５】
放送番組の視聴が終了していない場合（ステップＳ１２−Ｎｏ）、ステップＳ５以降が実行される。一方、放送番組の視聴が終了した場合（ステップＳ１２−Ｙｅｓ）、デジタル放送受信機３は、放送番組の視聴又は録画の指示があるまで待機する。
【００４６】
次に、（Ｂ）放送番組が録画される場合について説明する。
【００４７】
連携判断部３５は、放送番組録画指示に応じて、録画フラグを状態管理部３６に設定する（ステップＳ１−Ｙｅｓ、Ｓ３）。放送波受信部１２は、放送番組録画指示に応じて、録画処理を開始する（ステップＳ４）。録画処理において、放送波受信部１２は、放送信号を受信して（ステップＳ５）、放送信号に含まれている放送番組を記憶部１３に格納すると共に、放送信号から最新のＰＭＴやＡＩＴを抽出して記憶部１３に格納する（ステップＳ６）。
【００４８】
次に、連携判断部３５は、最新のＡＩＴの記述内容に従った処理を実行する（ステップＳ７）。次に、記憶部１３に格納された最新のＡＩＴの記述内容が端末連携を要求していない場合（ステップＳ８−Ｎｏ）、即ち、対象の放送番組が外部端末４と連携しない放送番組である場合、現在の処理が継続され（ステップＳ９）、ステップＳ５以降が実行される。
【００４９】
ステップＳ５〜Ｓ７が再度実行される。ここで、記憶部１３に格納された最新のＡＩＴの記述内容が端末連携を要求しているが（対象の放送番組が外部端末４と連携する放送番組であるが）、状態管理部３６に録画フラグが設定されている場合（ステップＳ８−Ｙｅｓ、Ｓ１０−Ｙｅｓ）、連携判断部３５は、外部端末４に対する端末連携を実行しないように、アプリケーションエンジン３４を経由して端末連携制御部３３を制御する（ステップＳ１３）。この場合、外部端末４には、記憶部１３に格納されたＡＩＴが通知されない。
【００５０】
放送番組の録画が終了していない場合（ステップＳ１４−Ｎｏ）、ステップＳ５以降が実行される。一方、放送番組の録画が終了した場合（ステップＳ１４−Ｙｅｓ）、デジタル放送受信機３は、放送番組の視聴又は録画の指示があるまで待機する。
【００５１】
以上の説明により、本発明の第１実施形態に係る放送通信連携システムでは、デジタル放送受信機３は、放送番組が視聴される場合、外部端末４に対する端末連携を実行し、放送番組が録画される場合、外部端末４に対する端末連携を実行しない。このため、本発明の第１実施形態に係る放送通信連携システムによれば、デジタル放送受信機３が放送番組を録画するときに、ユーザに対して妨害することなく、外部端末４を利用することができる。
【００５２】
［第２実施形態］
図６及び図７は、本発明の第２実施形態に係る放送通信連携システムにおけるデジタル放送受信機３の動作を示すフローチャートである。デジタル放送受信機３の動作としては、（Ａ）放送番組が視聴される場合と、（Ｂ）放送番組が録画される場合と、（Ｃ）放送番組が視聴されているときに、録画に切り替わった場合とに分けられる。
【００５３】
ここで、（Ｂ）放送番組が録画される場合については、第１実施形態と同じであるため、説明を省略する。
【００５４】
次に、（Ａ）放送番組が視聴される場合について、第１実施形態からの変更点のみ説明する。
【００５５】
放送番組の視聴が終了してなく、かつ、ユーザによる指示が放送番組視聴指示から放送番組録画指示に切り替わらない場合（ステップＳ１２−Ｎｏ、Ｓ２０−Ｎｏ）、ステップＳ５以降が実行される。一方、放送番組の視聴が終了していないうちに、ユーザによる指示が放送番組視聴指示から放送番組録画指示に切り替わった場合（ステップＳ１２−Ｎｏ、Ｓ２０−Ｙｅｓ、Ｓ２１）、連携判断部３５は、放送番組録画指示に応じて、録画フラグを状態管理部３６に設定する（ステップＳ２２）。
【００５６】
ここで、端末連携制御部３３が外部端末４に対する端末連携を実行していない場合（ステップＳ２３−Ｎｏ）、ステップＳ５以降が実行される。
【００５７】
一方、端末連携制御部３３が外部端末４に対する端末連携を実行している場合（ステップＳ２３−Ｙｅｓ）、連携判断部３５は、外部端末４に対する端末連携を実行しないように、アプリケーションエンジン３４を経由して端末連携制御部３３を制御する（ステップＳ２４）。ここで、連携判断部３５は、外部端末４に対する端末連携を実行しない旨について、受信機用出力部２０を用いてユーザに確認を行ない、ユーザの同意を得た場合にステップＳ２４を実行してもよい。その後、ステップＳ５以降が実行される。
【００５８】
以上の説明により、本発明の第２実施形態に係る放送通信連携システムでは、デジタル放送受信機３は、放送番組が視聴されているときに、録画に切り替わった場合、外部端末４に対する端末連携を実行しない。このため、本発明の第２実施形態に係る放送通信連携システムによれば、デジタル放送受信機３において放送番組の視聴から録画に切り替わった場合でも、ユーザに対して妨害することなく、外部端末４を利用することができる。
【００５９】
［第３実施形態］
図８及び図９は、本発明の第３実施形態に係る放送通信連携システムにおけるデジタル放送受信機３の動作を示すフローチャートである。デジタル放送受信機３の動作としては、（Ａ）放送番組が視聴される場合と、（Ｂ）放送番組が録画される場合と、（Ｃ）放送番組が視聴されているときに、録画に切り替わった場合と、（Ｄ）放送番組が録画されているときに、視聴に切り替わった場合とに分けられる。
【００６０】
ここで、（Ａ）ユーザにより放送番組視聴指示が行なわれた場合と、（Ｃ）放送番組が視聴されているときに、録画に切り替わった場合とについては、第２実施形態と同じであるため、説明を省略する。
【００６１】
次に、（Ｂ）放送番組が録画される場合について、第１、第２実施形態からの変更点のみ説明する。
【００６２】
放送番組の録画が終了してなく、かつ、ユーザによる指示が放送番組録画指示から放送番組視聴指示に切り替わらない場合（ステップＳ１４−Ｎｏ、Ｓ３０−Ｎｏ）、ステップＳ５以降が実行される。一方、放送番組の録画が終了していないうちに、ユーザによる指示が放送番組録画指示から放送番組視聴指示に切り替わった場合（ステップＳ１４−Ｎｏ、Ｓ３０−Ｙｅｓ、Ｓ３１）、連携判断部３５は、放送番組視聴指示に応じて、視聴フラグを状態管理部３６に設定する（ステップＳ３２）。
【００６３】
ここで、記憶部１３に格納されたＡＩＴの記述内容が視聴中の放送番組のものではない場合（ステップＳ３３−Ｎｏ）、ステップＳ５以降が実行される。例えば、録画中の放送番組に対して、端末連携を要求するＡＩＴが伝送されていない場合（対象の放送番組が外部端末４と連携しない放送番組である場合）、記憶部１３には、別の放送番組に対するＡＩＴが格納されている可能性がある。この場合、ステップＳ５以降が実行される。これにより、視聴中の放送番組における最新のＡＩＴが記憶部１３に格納される。
【００６４】
一方、記憶部１３に格納されたＡＩＴの記述内容が視聴中の放送番組のものである場合（ステップＳ２３−Ｙｅｓ）、連携判断部３５は、外部端末４に対する端末連携を実行するように、アプリケーションエンジン３４を経由して端末連携制御部３３を制御する（ステップＳ３４）。その後、ステップＳ５以降が実行される。
【００６５】
以上の説明により、本発明の第３実施形態に係る放送通信連携システムでは、デジタル放送受信機３が、放送番組が録画されているときに、視聴に切り替わった場合、外部端末４に対する端末連携を実行する。このため、本発明の第３実施形態に係る放送通信連携システムによれば、デジタル放送受信機３において放送番組の録画から視聴に切り替わった場合、外部端末４を別目的で利用していたユーザは、デジタル放送受信機３と、デジタル放送受信機３と端末連携を行なう外部端末４とを利用することにより、放送コンテンツ（放送番組）と通信コンテンツ（放送マネージドアプリケーション）とを同期再生することができる。
【００６６】
以上、本発明について詳述してきたが、具体的な構成は実施形態に限られるものではなく、この発明の要旨を逸脱しない範囲の設計等も特許請求の範囲に含まれる。
【符号の説明】
【００６７】
１  …  放送波サーバ、
２  …  通信サーバ、
３  …  デジタル放送受信機、
４  …  外部端末、
１１  …  チューナ部、
１２  …  放送波受信部、
１３  …  記憶部、
２０  …  受信機用出力部、
２１  …  音声制御部、
２２  …  表示制御部、
２３  …  スピーカ、
２４  …  表示部、
３１  …  通信部、
３２  …  受信機用制御部、
３３  …  端末連携制御部、
３４  …  アプリケーションエンジン、
３５  …  連携判断部、
３６  …  状態管理部、
４１  …  通信部、
４２  …  端末用制御部、
４３  …  端末連携制御部、
４４  …  アプリケーションエンジン、
５０  …  端末用出力部、
５１  …  音声制御部、
５２  …  表示制御部、
５３  …  スピーカ、
５４  …  表示部
【図１】
2015100087.tif 000003
【図２】
2015100087.tif 000004
【図３】
2015100087.tif 000005
【図４】
2015100087.tif 000006
【図５】
2015100087.tif 000007
【図６】
2015100087.tif 000008
【図７】
2015100087.tif 000009
【図８】
2015100087.tif 000010
【図９】
2015100087.tif 000011